(57)【要約】  ワイヤーロープをしっかりと保持し、解放を容易にする楔及びソケットのアッセンブリは、折りたたみ可能な楔を含む。楔は、楔の前端部における高圧を利用して前方の狭い端部に倒れ、倒れとロープの解放をもたらす。楔は、すばやくかつ確かな楔の倒れとワイヤーロープの解放を容易にするために枢動する及び／又は転移する移動可能な構成要素を含む。ワイヤーロープを解放するためのトーチでの支持部の切断で生じた煙を少なくとも部分的に排出するくぼみを含む。 【選択図】図１
2011525602.tif 000002
【特許請求の範囲】
【請求項１】
ソケット内にワイヤーロープを保持するための折りたたみ可能な楔であって、
楔は、
（ｉ）ベースと、
（ｉｉ）ベースに連結されたアームとを備え、
ベースとアームは、狭い前端部と、広い後端部と、前端部と後端部との間に伸びる後方に収束しない側面と、ソケットに固定されるワイヤーロープを収容する、側面及び後端部に沿った外側溝とを共同的に画定し、
楔は、更に
（ｉｉｉ）前端部に隣接した着脱可能な支持部であって、使用中においてワイヤーロープをソケットに固定するためにベースに対して離間した位置にアームを保持すると共に、除去されたときに楔の幅を減少するとともにワイヤーロープの解放を許容するために楔の方へのアームの移動を許容する、支持部を備える、折りたたみ可能な楔。
【請求項２】
請求項１記載の折りたたみ可能な楔において、
支持部が除去されたときに、アームはベースに対して枢動する、折りたたみ可能な楔。
【請求項３】
請求項２記載の折りたたみ可能な楔において、
ベースは、ワイヤーロープを固定しながらアームの前方への移動を制限する突っ張りを含む、折りたたみ可能な楔。
【請求項４】
請求項２記載の折りたたみ可能な楔において、
支持部が除去されたときに、アームは、ベースの方に移動する、折りたたみ可能な楔。
【請求項５】
請求項１記載の折りたたみ可能な楔において、
支持部が除去されたときに、アームは、ベースの方に移動する、折りたたみ可能な楔。
【請求項６】
請求項１記載の折りたたみ可能な楔において、
支持部は、アームと一体である、折りたたみ可能な楔。
【請求項７】
請求項６記載の折りたたみ可能な楔において、
ベースは、支持部の前方への移動を制限する突っ張りを含む、折りたたみ可能な楔。
【請求項８】
請求項１記載の折りたたみ可能な楔において、
楔は、アームとベースとの間にくぼみを更に含み、
くぼみは、楔の倒れの前後に存在すると共に、支持部を切断するトーチからの煙を排出できる、折りたたみ可能な楔。
【請求項９】
請求項１記載の折りたたみ可能な楔において、
アームは、ベースよりも小さい、折りたたみ可能な楔。
【請求項１０】
請求項９記載の折りたたみ可能な楔において、
アームは、楔の全長の約半分よりも小さい、折りたたみ可能な楔。
【請求項１１】
ソケット内にワイヤーロープを保持するための折りたたみ可能な楔であって、
楔は、
二つの構成要素と、
狭い前端部と、前端部と後端部との間に伸びる後方に収束しない側面と、ソケットに固定されるワイヤーロープを収容する、側面及び後端部に沿った外側溝とを画定する着脱可能な支持部とを備え、
支持部の除去は、楔を前端部で倒れさせ、ワイヤーロープを解放する、折りたたみ可能な楔。
【請求項１２】
請求項１１記載の折りたたみ可能な楔において、
支持部は、構成要素の一方と一体である、折りたたみ可能な楔。
【請求項１３】
請求項１１記載の折りたたみ可能な楔において、
二つの構成要素は、支持部が除去されたときに、互いの方に枢動する、折りたたみ可能な楔。
【請求項１４】
請求項１１記載の折りたたみ可能な楔において、
一方の構成要素は、他方の構成要素よりも小さい、折りたたみ可能な楔。
【請求項１５】
ソケット内にワイヤーロープを保持するための折りたたみ可能な楔であって、
楔は、
（ｉ）ベースと、
（ｉｉ）ベースに枢動的に連結された、ベースよりも小さいアームとを備え、
ベースとアームは、狭い前端部と、広い後端部と、前端部と後端部との間に伸びる後方に収束しない側面と、ソケットに固定されるワイヤーロープを収容する、側面及び後端部に沿った外側溝とを共同的に画定し、
楔は、更に
（ｉｉｉ）使用中においてワイヤーロープをソケットに固定するためにベースに対して離間した位置にアームを保持する着脱可能な支持部であって、除去されたときに楔の幅を減少するとともにワイヤーロープの解放を許容するために楔の方へのアームの枢動を許容する、支持部を備える、折りたたみ可能な楔。
【請求項１６】
請求項１５記載の折りたたみ可能な楔において、
アームは、収束しない側面の長さよりも実質的に短く伸びる、折りたたみ可能な楔。
【請求項１７】
請求項１５記載の折りたたみ可能な楔において、
支持部は、前端部に隣接し、アームは、ベースの前端部の方に枢動する、折りたたみ可能な楔。
【請求項１８】
ワイヤーロープを保持するための、楔及びソケットのアッセンブリであって、
アッセンブリは、
狭いくぼみを画定するソケットと、狭いくぼみの中に挿入される楔とを備え、
楔は、
二つの構成要素と、
狭い前端部と、前端部と後端部との間に伸びる後方に収束しない側面と、ソケットに固定されるワイヤーロープを収容する、側面及び後端部に沿った外側溝とを画定する着脱可能な支持部とを備え、
支持部の除去は、楔を前端部で倒れさせ、ワイヤーロープを解放する、楔及びソケットのアッセンブリ。
【請求項１９】
請求項１８記載の楔及びソケットのアッセンブリにおいて、
支持部は、構成要素の一方と一体である、楔及びソケットのアッセンブリ。
【請求項２０】
請求項１８記載の楔及びソケットのアッセンブリにおいて、
二つの構成要素は、支持部が除去されたときに、互いの方に枢動する、楔及びソケットのアッセンブリ。
【発明の詳細な説明】
【技術分野】
【０００１】
本発明は、ワイヤーロープを固定するための楔及びソケットのアッセンブリに関し、それは、特定の掘削機でわかるような重い荷重の適用に有益である。
【背景技術】
【０００２】
ワイヤーロープは、特定の掘削機や厳しい持ち上げや引っ張りが必要とされる他の機械に使用される。（引綱オペレーションやケーブルシャベルなどの）掘削機では、楔及びソケットのアッセンブリは一般的にワイヤーロープの端部を固定するのに使用される。これらのアッセンブリのソケットは、楔を収容するようになった先細りの通路又はくぼみを含む。ワイヤーロープは、先細りの通路を通ってソケットの中に挿入され、楔の大きな端部の周りに巻きつけられ、そして楔と共に通路の中に戻される。ワイヤーロープが締結されると、ソケットの先細りの通路の側壁に対してワイヤーロープをしっかりと保持するように、楔は通路の中に堅固に嵌合される。また、ソケットは、機械やチェーンなどの構成要素に連結されるＵリンク又は他の締結装置を含む。そのようなアッセンブリは、ワイヤーロープを固定するのに有効であるが、解放するのが困難である。
【発明の概要】
【課題を解決するための手段】
【０００３】
本発明は、ワイヤーロープをしっかりと固定するが容易な解放を可能にする、改善された楔及びソケットのアッセンブリに関し、特にそのようなアッセンブリに使用可能な折りたたみ可能な楔に関する。
【０００４】
本発明の一態様では、楔は、ワイヤーロープの容易な解放を促進するために折りたたみ可能である。楔は、楔の前端部における高圧を利用して前方の狭い端部に倒れ、倒れとロープの解放をもたらす。
【０００５】
本発明の他の態様では、楔は、すばやくかつ確かな楔の倒れとワイヤーロープの解放を容易にするために、大きなベースに取り付けられた枢動構成要素を含む。初期状態では、楔を備える構成要素は、ソケットにワイヤーロープをしっかりと保持するために固定した状態にある。解放状態では、枢動構成要素は、すばやく確かで容易なワイヤーロープの解放のために倒れた位置まで回転する。
【０００６】
本発明の他の態様では、ワイヤーロープを保持する楔の折りたたみ可能な構成要素は、ロープをすばやく容易で効率的に解放するために、枢動及び転移運動にさらされる。
本発明の他の態様では、楔の折りたたみ可能な構成要素は、楔の倒れ及びワイヤーロープの解放を生じるために切断される支持部を有する。ベースに係合するため、及び、ソケットにワイヤーロープを保持する際に経験されることができる高圧によりよく抵抗するために、好ましくは、支持部は、ストップ又は突っ張りを含む。
【０００７】
本発明の他の態様では、楔は、ワイヤーロープを解放するためのトーチでの支持部の切断で生じた煙を少なくとも部分的に排出するくぼみを含む。
本発明の他の態様では、楔は、楔の周辺の一部分だけに沿ってワイヤーロープを把持する。一つの構成では、楔は、楔の一側面に沿った最も高圧を受ける先細りの通路の前部分、すなわちワイヤーロープが解放されるときに倒れるようになった部分だけに沿ってワイヤーロープを把持する。この構成は、ワイヤーロープに圧力を集中させ、ワイヤーロープを最良に固定すると共により容易な解放を可能にする。
【０００８】
本発明の他の態様では、楔は、倒れて、作業者に対して増加された安全性で固定されたワイヤーロープに含まれた張力を解放する。本発明の好適な実施例では、楔の構成要素は、固定されたワイヤーロープに含まれた張力及びエネルギーの解放中に強制的に追い出される部品のあらゆるリスクを減少するために、倒される間互いに連結されたままである。また、倒れる間に楔の一部分が楔の残りの部分と分離する又は分離した状態になるように設計されても、その倒れは内方に向かい、損害のリスクをさらに減少させる。
【図面の簡単な説明】
【０００９】
【図１】図１は、本発明の楔及びソケットのアッセンブリの斜視図である。
【図２】図２は、ソケットが断面で部分的に示された楔及びソケットのアッセンブリの側面図である。
【図３】図３は、本発明の折りたたみ可能な楔の側面図である。
【図４】図４は、楔の斜視図である。
【図５】図５は、楔の上面図である。
【図６】図６は、楔の後端図である。
【図７】図７は、楔のベース構成要素の斜視図である。
【図８】図８は、ベース構成要素の側面図である。
【図９】図９は、図８において線９−９に沿って切られた断面図である。
【図１０】図１０は、図９において線１０−１０に沿って切られた断面図である。
【図１１】図１１は、楔の枢動する構成要素の斜視図である。
【図１２】図１２は、枢動する構成要素の側面図である。
【図１３】図１３は、図１２において線１３−１３に沿って切られた断面図である。
【図１４】図１４は、図１２において線１４−１４に沿って切られた断面図である。
【図１５】図１５は、本発明にかかる折りたたみ可能な楔の代替的な実施例の斜視図である。
【図１６】図１６は、代替的な楔の側面図である。
【図１７】図１７は、代替的な楔の上面図である。
【図１８】図１８は、代替的な楔の後面図である。
【図１９】図１９は、図１７において線１９−１９に沿って切られた断面図である。
【発明を実施するための形態】
【００１０】
本発明は、ソケット１２及び楔１４を備える、ワイヤーロープ１１のための楔及びソケットのアッセンブリ１０に関する。アッセンブリ１０は、（引綱オペレーションやケーブルシャベルなどの）掘削機で経験されるような重い荷重のもとでワイヤーロープをしっかりと保持するのに使用されることができる。それにもかかわらず、アッセンブリ１０は、ワイヤーロープがしっかりと保持される必要がある他の環境で使用されることができる。
【００１１】
ソケット１２は、一般的なデザインを有し、多種多様の構成の形態を有することができる。一実施例では、図１に示されるように、ソケット１２は、前端部１８にある先細りの通路１６と、他の構成要素、チェーンなどとの連結を容易にするための後端部２２にあるＵリンク２０と、概ね中空の中間部分２４とを含む細長い部材である。先細りの通路１６は、そこを通って楔１４が使用のために挿入される後開口２６と、そこを通ってワイヤーロープ１１が通過する狭い前開口２８とを含む。
【００１２】
楔１４は、ワイヤーロープ１１を保持するためにソケット１２で使用されるために互いに連結されたベース３０と可動アーム３２とを含む。使用では、ベース２０とアーム３２は、ソケット１２の先細りの通路１６内に係合的収容のために動かないように固定された状態にある。アーム３２は、ソケット１２の先細りの通路１６の一側壁３３に対してワイヤーロープを把持すると共に、ベース３０は、先細りの通路１６の対向する側壁３５に対してワイヤーロープを把持する。支持部３７がソケット１２からの楔の取り外し及びワイヤーロープ１１の解放を容易にするために切断されるときにアーム３２はベース３０の方に倒される。
【００１３】
ベース３０は、狭い前端部３８の方に互いに近寄る第１側面３４及び対向する第２側面３６を含む。第１側面３４は、概ね楔１４の全長にわたって伸びるが、第２側面３６は、その長さの部分だけ伸びる。好適な構成では、第２側面は、アーム３２が配置される開放スペース３９を画定するために前端部３８を十分に短く終端する。ベース３０の後端部４０は、凸状に曲がった形状を有し、第１及び第２側面３４、３６を接続する。一つ又は二つのくぼみ６０が後端部４０に沿って提供され、解放が望まれるときにワイヤーロープ１１の切断を容易にする。より大きなアッセンブリでの楔の扱い方に対応するため及びソケットへの楔の適当な挿入を確実にするために、一対の目６２が第２側面３６の近くに後端部４０に沿って提供される方が好ましい。
【００１４】
溝４２が、ワイヤーロープ１１の収容のために第１側面３４、第２側面３６及び後端部４０に沿って伸びる。好適実施例では、溝４２は、開放スペース３９を除くベース３０の周辺のほぼ全体の周りを連続的に伸びる溝である。第１側面３４は、第２側面３６よりもさらに前方に伸び、開放スペース３９の下方に前突出部４４を画定する。起立した突っ張り４６は、後述するようにアーム３２のための追加的な支持を提供するために突出部４４の端部に形成されるのが好ましい。マウント４８が取り付けアーム３２のために前突出部４４の基部に提供される。好適な構成では、マウント４８は、一対の支持面５４間に配置された起立した腹部５２を含む。支持面５４は、凹状に曲がっており、アーム３２の一部分を受け入れる。支持面は、円形部分を画定するように均一に曲がっているのが好ましいが、他の湾曲が可能である。穴５８が支持面５４に対する曲率半径の起源において腹部５２を貫通する。
【００１５】
アーム３２は、ベース３０の前端部３８と係合する支持部３７と、マウント４８に連結するためのハブ５６とを含む。使用においては、支持部３７は、動かないように固定した状態にアーム３２を保持して、解放に抗してワイヤーロープをしっかりと保持する。ロープの解放が望まれるときに支持部３７は切断され、アーム３２がベース３０の方へ倒れてワイヤーロープを解放する。好適な構成では、ハブ５６は、アーム３２の枢動移動を容易にするためにマウント４８に固定される。ワイヤーロープの解放が望まれるときに、開放スペース３９の一部がアーム３２の倒れを許容するクリアランスギャップ３９ａになる概ねＵ字状の形状を有する。
【００１６】
クリアランスギャップ３９ａは、エラストマー発泡体あるいは他のエラストマーで満たされることができ、又は、空っぽにされることができる。後述するように、支持部３７を切断するためのトーチ（a torch）の使用で燃え続けるエラストマーの使用は好ましい。
【００１７】
好適な構成では、その中に腹部５２が収容されるギャップ６６を画定する一対の離間したフランジ６４を含む。フランジ６４は、ベース３０の支持面５４に対して設置する凸状に均一に曲がった支持面６８を含む。支持面５４、６８は、アーム３２に対する十分な支持を提供するため及び支持面５４が大きな曲率を有してもその回転を容易にするために同じ曲率半径を有する方が好ましい。穴７０が各フランジ６４に提供され、支持面５４、６８が接するときに腹部５２の穴５８と整合する。ピン７２が整合された穴５８、７０に嵌合され、アーム３２をベース３０に連結する。ピン７２は、例えば枢動ピンのようなボルトとナットの使用を含む枢動ピンを保持するためのあらゆる周知の手段によって固定されることができる。支持面５４、６８がアームにかかった荷重を支持し、アームの好適な枢動的な移動を導くように、ピン７２は、穴５８、７０に収容される方が好ましい。ピンは、ロープの挿入中及びソケットからの楔の取り外し中にアームが部分的にベースに連結されるのを維持する。それにもかかわらず、ピン又は他の構成（例えばスロット）が上記荷重を支持すると共にアームの上記移動を導くのに使用されることができる。さらに、アームの枢動的な移動が好ましいが、例えばスロット及び従動部の使用によって枢動でない方法でアームはベース３０の方に移動する（すなわち倒れる）ことができる。
【００１８】
アーム３２は、ワイヤーロープ１１を受け入れるための溝７６を画定する外面７４を含む。外面７４は、前方向に（すなわち前端部３８の方に）ベース３０の第１側面３４の方に近寄る。アーム３２の外面７４は、ベース３０の第２側面３６と概ね軸方向に整合されるが、それらは実際には整合されていない。外面７４は、第２側面３６と比較して第１側面３４に対してわずかに大きな角度で傾斜され、アーム３２だけ（アーム３２及び第２側面３６ではない）が、楔１４と、ソケット１２の先細りの通路１６の側壁３３との間にあるワイヤーロープ１１を把持する。第２側面３６上を通るワイヤーロープ１１は、溝４２によって側方に保持されかつ第２側面３６に沿って導かれるが、それは、通路壁３３に抗してワイヤーロープ１１を把持しない。
【００１９】
支持部３７がアーム３２の前端部８０に提供され、ベース３０に対して固定した保持状態に、すなわち使用中において側壁３３に対してワイヤーロープを保持する状態に、アームを保持する。支持部３７は、外面７４から離れる方向に伸び、ベース３０の前端部３８と係合する。ストップ８２は、突っ張り４６と係合するために支持部３７の遠位端部８４に提供されるのが好ましい。楔１４がソケット１２の先細りの通路１６の中にしっかりと嵌合されてワイヤーロープ１１を保持するとき、実質的な圧力が溝７６に沿ってアームにかかることができる。保持状態では、この圧力は、支持部３７及びハブ５６によって抵抗される。大きな負荷がアーム３２にかけられるとき、圧力はアーム３２を曲げ支持部３７を外方に曲げるように作用する。突っ張り４６に対するストップ８２の係合は、そのようなアーム３２の曲がり及び支持部３７の外方への屈曲に抵抗する。
【００２０】
使用では、ワイヤーロープ１１は前開口２８を通ってソケット１２の先細りの通路１６の中に供給され、溝４２、７６に配置するように楔１４を中心に巻きつけられる。次に、ワイヤーロープ１１が楔１４を中心に巻きつけられた楔１４は、後開口２６を通じて先細りの通路の中に配置される。ワイヤーロープへの力の適用は、楔を先細りの通路１６の中にきつく引っ張り、その結果、ワイヤーロープは溝４２、７６に、すなわち、ベース３０の第１側面３４とソケット１２の先細りの通路１６の溝４２との間、及び、アーム３２の溝７６と側壁３３との間にしっかりと保持される。ベースの第２側面３６は、アーム３２の外面７４よりも大きな距離で側壁３３から離間され、そのため、ワイヤーロープは、この位置では楔とソケットとの間で把持されない。ワイヤーロープが楔のアーム側の先細りの通路１６の前部だけで把持されるとしても、ワイヤーロープはロスに対して依然としてしっかりと支持される。楔のアーム側への最も大きな圧力は、その前端部に発生し、適所にワイヤーロープを保持するためだけに使用されることができる。楔の一方側のアームだけでワイヤーロープを把持するにもかかわらず、楔１４は、楔の両側の全長に沿って把持表面を含む従来の楔と比較して同様な把持力及び負荷をかける。
【００２１】
ワイヤーロープの解放が望まれるとき、支持部３７は、トーチ（a torch）又は他の手段によって切断される。代替として、切断作用のある又は取り外し可能なブロックを支持部３７の一部又は全部のところに提供できる。ひとたび支持部（又はブロック）が切断あるいは取り外しされると、ワイヤーロープをきつく把持することによって生じたアーム３２への圧力は、アームをベース３０の前突出部４４の方へ内方へ枢動させる。負荷されたときにケーブルを把持する全ての表面が内方への圧力を受け、その結果、アームは、支持部３７が取り除かれたときに自動的に倒れる。側壁３３に抗するワイヤーロープへの楔の把持力の全てがアームによってかけられるので、アーム３２の倒壊は、支持部３７の切断で直ちに生じる。さらに、（楔の全長と比べて）アーム３２の短い長さで、アームはより短い半径で回転する。次に、より短い回転半径は、より大きな倒れ（すなわち、側壁３３から離れる方向へのアームの動き）及びワイヤーロープのより確実な解放につながる。クリアランス部分８４は、アーム３２の後端部に提供され、アームのこの部分が枢動運動で立ち上がらないでかつワイヤーロープを把持しない又はワイヤーロープに望ましくない圧力をかけないで、アームの回転を許容する。好適な構成では、アーム３２が倒されたときにベース３０の第２側面３６の上方にクリアランス部分が立ち上がらないように、クリアランス部分８４は、溝７６に比べて異なる角度で後方に伸びる部分であるが、他の形成が可能である。
【００２２】
トーチは、支持部３７を切断するための好適なツールである。好適な実施例では、楔１４は、アーム３２及びベース３０の一方又は両方にくぼみ８６、８８が形成される。アーム３２のくぼみ８６は、クリアランススペース３９ａとアーム３２の後端部との間に伸びる一体的な空間又は通路である。くぼみ８６は、ハブ５６と溝７６との間に概ね配置される。くぼみ８８は、マウント４８の後方のベース３０に形成された外側凹部によって画定される。くぼみ８６は、マウント４８と溝７６との間でアーム３２の後端部にあるくぼみ８８と連通する。くぼみ８６、８８は、切断プロセスからの煙を受け入れかつ排出する。くぼみ８８に煙を排出するための対課の通路が、腹部５２よりも広いギャップ６６を形成することにより提供されることもできる。結局、トーチが支持部３７を切断するのに使用されるかどうかに関係なく任意である。
【００２３】
代替的な実施例（図１５乃至図１９）では、楔１４と同様な折りたたみ可能な楔１１４は、ベース１３０と、ワイヤーロープを解放するために前方方向に折りたためる移動可能なアーム１３２とを含む。ベース１３０及び移動可能なアーム１３２は、集合的に前端部１３３、それを中心としてワイヤーロープが巻きつけられる円形の後端部１３５、及び、一対の概ね線状に後方に収束しない側面１４１、１４３を画定する。ワイヤーロープを把持するより長いアームの使用は、ロープの直径を小さくさせるとともにいくつかの場合においてはワイヤーロープへの楔の把持力を小さくさせる、ワイヤーロープが使用中に押しつぶされるリスクを減少する。従って、楔１１４は、ワイヤーロープを保持する高いレベルのセキュリティを提供する。それにもかかわらず、より長いアーム１３２と同様に、楔１４、１１４の両方は、楔がより大きなベース及び所望の倒れをもたらすより小さなアームによって形成される構成を使用する方が好ましい。
【００２４】
ベース１３０及びアーム１３２は、ワイヤーロープを収容するために楔の外周囲について溝１４２を共同的に画定する。溝は、側面１４１及び後端部１３５に沿ってベース１３０によって、及び、側面１４３に沿ってアーム１３２によって形成され、ワイヤーロープを収容するための実質的に連続した溝、好ましくはＵ字状の溝を形成する。
【００２５】
カップリング１４７は、アーム１３２をベース１３０に結合するのに提供され、取り外しが望まれるときにアームの前方への倒れを可能にしながら取り付けのために構成要素を互いに保持する。好適な実施例では、アーム１３２及びベース１３０は、取り外しが望まれるときにアームの枢動運動及び変態運動を許容するために緩く接合される。しかしながら、アームは、枢動運動又は変態運動によって移動できる。楔の前方への倒れによって得られる有益は、好適な実施例で述べたように、アームが移動する方向、又は、楔がより大きなベースとより小さなアームの構成を使用するか否かに依存しない。従って、楔は、枢動運動、変態運動、あるいは枢動運動と変態運動の組み合わせで倒れるアームを有することができる。さらに、これらの様々な動きは、（例えば、楔の側面の全長の半分よりも短い）短いアーム、（例えば、楔の側面の全長の半分よりも伸びる）長いアーム、あるいは、ベースの実質的に鏡像であるアームの使用で可能である。また、ワイヤーロープを解放することで得られる有益は、ベースとアームの構成、すなわち、倒れが前方であるか後方であるかにかかわらずベースがアームよりも大きいベースとアームの構成の使用を通じて実現されることができる。しかしながら、好適な構成では、倒れは前方であり、倒れは、ベースよりも小さいアームによってもたらされる。
【００２６】
カップリング１４７の一例では、突出部１４９は、側面１４３に沿ってベース１３０から前方に伸び、内肩部１５１を画定する。図１７に示されるように、突出部１４９は、溝１４２及びベース１３０の主要部分よりも狭い幅を有する。アーム１３２は、突出部１４９を収容するように形状づけられたその後端部１５５に沿った相補的溝１５３を含む。図１９に示されるように、溝１５３は、アーム１３２の深さ全体に伸びる。ピン１５７がアーム１３２に整合された穴を通じて収容され、肩部１５１の真下に設置され、ピン１５７は、肩部と接触でき、あるいは肩部と離間されることができる。肩部１５１は、線状に、湾曲状に、角度をなして、あるいは、他の形状にすることができる。それにもかかわらず、アーム１３２の倒れを可能にする他の種類のカップリング構成を使用できる。さらに、アーム及びベースは、ピン以外の手段、例えば、くぼみ１８６内に折りたたみ可能なフォームで連結されることができる。
【００２７】
アーム１３２は、好ましくは、前ベース支持面１５９に対して載置される、下方に突出する前支持部１３７を含む。突っ張り又はリム１４６が、前両側面に沿って支持部１３７の外側の周りに伸びる。この突っ張りは、前方向又は側方向への支持部の動きを制限する。アーム１３２の後支持面１６１は、ベース１３０の後ベース支持面１６３に対して接する。支持部１３７は、アーム１３２の一体部分である方が好ましいが、ベースの一体部分、または、アーム又はベースのどちらかに取り付けられた別個の構成要素にするすることができる。さらに、支持部は、所望であれば、複数の構成要素がワイヤーロープの解放が望まれるときに容易に切断又は取り除かれることができる限り、複数の構成要素によって形成されることができる。支持部は、ベースに取り付けられた別個の構成要素である場合、突っ張り１４６によって提供された前方及び側方の支持は、支持部によって提供されることができる。支持部の構成又は位置は、著しく変更でき、所望の倒れを生じるために取り除かれる楔の部分を取り囲むことができる。
【００２８】
突っ張り１４６に対する支持部１３７の接合及び後ベース支持面１６３に対する後支持面１６１の接合は、アームがベースに対して軸方向に動かないようにする。溝１５３への突出部１４９の収容は、突っ張り１４６の側部分間での支持部１３７の収容と共に、アームがベースに対して側方方向に動くのを防止する。肩部１５１の下方への挿入は、アームがベースから離れるのを防止する。このように、楔１１４は、単一のユニットとしてソケット１２の中に容易に挿入されることができる。
【００２９】
ワイヤーロープの解放が望まれるときに、支持部１３７は、トーチ又は他の手段によって切断される。トーチによる支持部１３７の取り外しが好ましいが、支持部の取り外しは、エレメントの完全な取り外しを必要としない。むしろ、支持部の取り外しは、倒された楔の一部分として存在しかつ残存したとしても、その支持態勢から外れることを意味する。とにかく、使用中でのワイヤーロープを把持する面は、ロープへのしっかりとした把持のために相当な内方への圧力を受ける。その結果、支持部１３７が取り除かれたときにアーム１３２は、自動的に崩壊し、すなわち、アームの前端部１６５が前ベース支持面１５９の方へ倒れるようにアーム１３２が枢動する。また、圧力は、支持部１３７の除去でアームが解放されたときにアーム１３２を転移運動で内方に動かす傾向がある。ピン１５７は、内方方向で邪魔しないので、すなわち、肩部１５１から離れる方向に溝１５３に沿って内方に動くことが自由であるので、この動きを妨げない。前ベース支持面１５９に対する支持部１３７の接合及び後ベース支持面１６３に対する後支持面１６３の接合のために、ピンは動作状態で内方に動かない。アーム１３２の前方への枢動運動と組み合わされたこの内方への転移は、楔の除去に対するワイヤーロープの確かな解放に起因する。
楔１０と同様に、楔１１０は、アーム１３２とベース１３０との間にくぼみ１８６を含む。くぼみ１８６は、アーム１３２の移動のためのクリアランスを提供するだけでなく、切断プロセスからの煙を排出する方が好ましい。
【００３０】
双方の楔のデザインでは、楔は、作業者の安全に対して最小のリスクで、倒れることができると共に、固定されたワイヤーロープに含まれた張力を解放することができる。楔１４、１１４では、楔の構成要素は、固定されたワイヤーロープに含まれた張力及びエネルギーの解放中に強制的に追い出される部品のリスクを減少するために、倒される間互いに連結されたままである。楔１４では、アーム３２はベース３０にピン留めされたままである。楔１１４では、ピン１５７は、同じように固定されないが、アーム１３２の嵌合及び位置は、アームをベースと共に残存させる、すなわち、アッセンブリから離れる方向に強制されるのとは対照的にワイヤーロープを切断するためにベースに対して倒れる傾向がある。同様に、倒れる間に楔の支持部又は他の部分が楔の残りの部分と分離する又は分離した状態になるように設計された場合、作業者の損害のリスクを最小にするために上述のようにその倒れは内方に向かう。
【図１】
2011525602.tif 000003
【図２】
2011525602.tif 000004
【図３】
2011525602.tif 000005
【図４】
2011525602.tif 000006
【図５】
2011525602.tif 000007
【図６】
2011525602.tif 000008
【図７】
2011525602.tif 000009
【図８】
2011525602.tif 000010
【図９】
2011525602.tif 000011
【図１０】
2011525602.tif 000012
【図１１】
2011525602.tif 000013
【図１２】
2011525602.tif 000014
【図１３】
2011525602.tif 000015
【図１４】
2011525602.tif 000016
【図１５】
2011525602.tif 000017
【図１６】
2011525602.tif 000018
【図１７】
2011525602.tif 000019
【図１８】
2011525602.tif 000020
【図１９】
2011525602.tif 000021
【国際調査報告】
2011525602.tif 000022